(57)【要約】【課題】  従来技術は、外反母趾、内反小指の矯正を目的として部分的に歩行を安定化させることはできるが、足全体から外反母趾、内反小指、下腿部のＯ脚、股関節のＯ脚を矯正し、バランス良い歩行を可能にすることはできなかった。【解決手段】  親指及び小指を嵌入する袋部５、７と、中間部に第２指、第３指、第４指を嵌入する袋部８とを形成し、中足関節部及び第５中足骨基底部を中心とするリスフラン関節部に当接する部分を他の部分より弾力性のある部材１４、１５を形成し、膝部の腓骨小頭部に対して弾性力で押圧することで膝閉め屈伸運動を補完する下腿部のＯ脚を矯正する弾力性のある部材２２を形成し、股関節部に位置する大腿骨頭部を弾性力で押圧することで股関節のＯ脚を矯正する弾力性のある部材２３を大腿骨頭部部分に形成し、足裏、膝、股関節全体のバランスを整える矯正用パンティストッキング及びタイツ。【選択図】図６
2006132037.tif 000002
【特許請求の範囲】
【請求項１】
親指及び小指を嵌入する袋部を足先両側に形成し、中間部に第２指、第３指、第４指を嵌入する袋部を足先中央部に形成し、中足関節部及び第５中足骨基底部を中心とするリスフラン関節部に当接する部分を他の部分より弾力性のある部材で１本以上形成し、この弾力性がある部材で押圧する力により親指及び小指がより外方に拡開し、足裏に横アーチと縦アーチを再生させ、膝部の腓骨小頭部に対して弾性力で押圧することで膝閉め屈伸運動を補完する下腿部のＯ脚を矯正する弾力性のある部材を形成し、股関節部に位置する大腿骨頭部を弾性力で押圧することで股関節のＯ脚を矯正する弾力性のある部材を大腿骨頭部部分に形成し、足裏、膝、股関節全体のバランスを整えるようにした足のバランスを保つ矯正用パンティストッキング。
【請求項２】
親指及び小指を嵌入する袋部を足先両側に形成し、中間部に第２指、第３指、第４指を嵌入する袋部を足先中央部に形成し、中足関節部及び第５中足骨基底部を中心とするリスフラン関節部に当接する部分を他の部分より弾力性のある部材で１本以上形成し、この弾力性がある部材で押圧する力により親指及び小指がより外方に拡開し、足裏に横アーチと縦アーチを再生させ、膝部の腓骨小頭部に対して弾性力で押圧することで膝閉め屈伸運動を補完する下腿部のＯ脚を矯正する弾力性のある部材を形成し、股関節部に位置する大腿骨頭部を弾性力で押圧することで股関節のＯ脚を矯正する弾力性のある部材を大腿骨頭部部分に形成し、足裏、膝、股関節全体のバランスを整えるようにした足のバランスを保つ矯正用タイツ。
【発明の詳細な説明】
【技術分野】
【０００１】
私達の人間生活は、２本の足で立って歩くようになった時から、重力とのバランスを効率的に足が保つようになり、一時も休むことなく重力と戦ってきた。人間の体はどこをとってもすべて重力と調和を保つよう、精巧な構造で造られている。しかし、その土台、すなわち足に不安定があると、全身に前後・左右・上下などのアンバランスを発生させる他に、さらに足全体の不安定は歩くたびに「過剰な衝撃」と「必要以上のねじれ」という有害なストレスを体に伝え、アンバランスの大きい箇所から破壊していく。このアンバランスによって、下から、外反母趾、内反小指、下腿部のＯ脚、股関節のＯ脚が生じてしまう。また、これが原因のはっきりしない膝、腰、頚の痛みや頭痛、肩こり、自律神経失調など体の不調の根本原因になるものである。
本発明は、その原因である外反母趾と内反小指を矯正し、足裏に横アーチ、縦アーチを再生させ、足裏全体のバランスを整える。また、図４に示すような外反母趾や足指が上がった状態になっていると、足指が浮き、地面に接地しないため、歩行時、足先が外方向へ流れ、過剰なねじれが発生し、これが腓骨小頭部、すなわち膝の部分で腓骨小頭部の逃げが生じ、下腿部のＯ脚の原因となる。この下腿部のＯ脚によって、大腿骨２１が股関節から逃げて大腿骨頭部が離れ、結果的に股関節のＯ脚に結びついてしまうのを防止する矯正用パンティストッキング及びタイツで、足のリスフラン関節部には図２で示す支点１９を押圧するサポータ等の弾性体からなる第１バンド１４と作用点２０を押圧するサポータ等の弾性体からなる第２バンド１５を、膝部には図６に示すように腓骨小頭部、すなわち作用点Ａ（図４参照）を押圧する幅広のサポータ等の弾性体からなる第３バンド２２と、同じく図６に示すように大腿骨頭部、すなわち作用点Ｂ（図４参照）を押圧する幅広のサポータ等の弾性体からなる第４バンド２３から構成されるパンティストッキング、タイツを着用することでＯ脚改善の機能を有する正しい歩行ができるようにした足のバランスを保つ矯正用パンティストッキング及びタイツに関するものである。
【背景技術】
【０００２】
従来技術としては、足の中足関節部、及び第５中足骨基底部を中心とするリスフラン関節部に当接する部分を他の部分より弾力性が強い部材で構成するようにした外反母趾・内反小指矯正用靴下において、親指及び小指を嵌入する袋部を足先両側に形成し、中間部に第２指、第３指、第４指を嵌入する袋部を足先中央部に形成し、中足関節部及び第５中足骨基底部を中心とするリスフラン関節部を押圧する力により親指及び小指がより外方に拡開し、足裏に横アーチと縦アーチを再生させ、足裏全体のバランスを整えるようにした足のバランス矯正靴下（例えば、特許文献１参照）が存在している。
【特許文献１】特開２００３−２９９６８５号公報（特許請求の範囲の欄、発明の実施の形態の欄の段落｛０００６｝〜｛００１１｝、及び図１〜図３を参照）
【発明の開示】
【発明が解決しようとする課題】
【０００３】
しかしながら、前記従来技術は、外反母趾、内反小指の矯正を目的として部分的に歩行を安定化させることはできるが、足全体から外反母趾、内反小指、下腿部のＯ脚、股関節のＯ脚を矯正し、バランス良い歩行を可能にすることはできなかった。これを解決した矯正用パンティストッキング及びタイツを提供することを目的とするものである。
【課題を解決するための手段】
【０００４】
上記課題を解決するための本発明の第１発明は請求項１に、第２発明は請求項２に記載された通りの矯正用パンティストッキング及びタイツであり、次のようなものである。
親指及び小指を嵌入する袋部を足先両側に形成し、中間部に第２指、第３指、第４指を嵌入する袋部を足先中央部に形成し、中足関節部及び第５中足骨基底部を中心とするリスフラン関節部に当接する部分を他の部分より弾力性のある部材で１本以上形成し、この弾力性がある部材で押圧する力により親指及び小指がより外方に拡開し、足裏に横アーチと縦アーチを再生させ、膝部の腓骨小頭部に対して弾性力で押圧することで膝閉め屈伸運動を補完する下腿部のＯ脚を矯正する弾力性のある部材を形成し、股関節部に位置する大腿骨頭部を弾性力で押圧することで股関節のＯ脚を矯正する弾力性のある部材を大腿骨頭部部分に形成し、足裏、膝、股関節全体のバランスを整える構成である。
【発明の効果】
【０００５】
本発明に係る矯正用パンティストッキング及びタイツは、上記説明のような構成であるので、以下に記載する効果を奏する。
足先、膝、股関節の３部位に、サポータ等の弾性体からなる各第１、第２、第３、第４バンド１４、１５、２２、２３を形成することで、足裏のバランスを整え、歩行する時の「過剰なねじれ」を防ぎ、さらに足先の過剰なねじれの発生が下腿部のＯ脚につながるのを防止しながら、膝部、すなわち腓骨小頭部を押圧でき、その上、下腿部のＯ脚により生じる大腿骨頭部の逃げによる股関節のＯ脚を防止すると同時に、大腿骨頭部を押圧できるため歩行する時、足全体によってバランスを整え、外反母趾、内反小指、下腿部のＯ脚、股関節のＯ脚を矯正できるものである。
【発明を実施するための最良の形態】
【０００６】
親指及び小指を嵌入する袋部を足先両側に形成し、中間部に第２指、第３指、第４指を嵌入する袋部を足先中央部に形成し、中足関節部及び第５中足骨基底部を中心とするリスフラン関節部に当接する部分を他の部分より弾力性のある部材で１本以上形成し、この弾力性がある部材で押圧する力により親指及び小指がより外方に拡開し、足裏に横アーチと縦アーチを再生させ、膝部の腓骨小頭部に対して弾性力で押圧することで膝閉め屈伸運動を補完する下腿部のＯ脚を矯正する弾力性のある部材を形成し、股関節部に位置する大腿骨頭部を弾性力で押圧することで股関節のＯ脚を矯正する弾力性のある部材を大腿骨頭部部分に形成し、足裏、膝、股関節全体のバランスを整えるようにした足のバランスを保つ矯正用パンティストッキング及びタイツ。
【実施例】
【０００７】
以下、本発明の実施例を添付図面で詳細に説明する。
先ず、図１は本発明の一実施例である。１は３本指パンティストッキング及びタイツ（腰部を省略したものを示す）で、先端両側に袋部２，３を形成し、親指４を袋部５に、小指６を袋部７に包み込み、中間の袋部８に第２指９、第３指１０、第４指１１を一緒に包み込むものである。袋部は必ずしも袋状にしなくてもよく、例えば、中間の第２指９、第３指１０、第４指１１の部分を開口することもでき、又逆に親指と小指の先も開口することができる。
【０００８】
図２は、外反母趾・内反小指を患っている、くずれた足のバランス状態が示されているが、この外反母趾・内反小指を矯正するには、足の中足骨関節部１２に相当する親指の付け根１８の支点１９と、第５中足骨基底部１３を中心とするリスフラン関節部１７の作用点２０を押圧する（図３を参照）ことにより、第２指９、第３指１０、第４指１１よりも親指４と小指６とをより効率的に外方に拡げるようにすることで正常な足裏のバランスを作り上げるように矯正するものである。
【０００９】
図３は本発明の原理で、中足関節部１２の支点１９及び第５中足骨基底部１３を中心とするリスフラン関節部１７の作用点２０を押圧することで、第２指９、第３指１０、第４指１１よりもより効率的に親指４と小指６とを外方に拡げるものを示したものである。
この原理を応用し図１に示す如く、パンティストッキング及びタイツ１の中足関節部１２を内方に押圧する第１バンド１４及び第５中足骨基底部１３を中心とするリスフラン関節部１７を押圧する第２バンド１５を他の部分より弾力性のある部材で構成している。
【００１０】
また、中足関節部１２を内方に押圧する第１バンド１４をリスフラン関節部１７を押圧する第２バンド１５の押圧力より若干弱いものにすることで、より足裏の横揺れ、横ぶれを防止する横アーチ１６、縦揺れを防ぎ、クッション作用を奏する縦アーチの形成を達成し、足裏の安定を図る。この第１バンド１４、第２バンド１５の押圧力の違いを形成するには、２つのバンドを一体化して、リスフラン関節部１７を押圧する部分を強くして、徐々に中足関節部１２を押圧する部分にいくに従って弱くすることもできる。なお、第１バンド１４と第２バンド１５の間に押圧力のあまりない遊びを設けることで窮屈さを少なくすることもできる。
なお、袋部は先端が開口していてもよい。
【００１１】
足の役割は、「重力とのバランス」を機能的に効率よく保つことだが、外反母趾・内反小指があると足裏が不安定になるため、重心の片寄りが起き、次のようなアンバランスが発生してしまう。
そこで、外反母趾・内反小指と慢性痛との関係を３つの機能の低下から見てみると、
（１）安定機能の低下・・・・積木の一段目の原理（骨格や姿勢を悪くする）
積木の一段目が狂うとその上部は必ず反対側に狂う、という自然界の法則があり、足裏に異常があると、その上部にも構造学的アンバランスが発生し、骨格や姿勢を悪くする。特に足の異常は左右対称に起きないため、足の長短差や骨盤の高低差を発生させる。
（２）免震機能の低下・・・・地震の縦揺れ・横揺れの原理（過剰な衝撃とねじれによる破壊のエネルギーが発生）
足に異常があると免震作用が衰え、歩くたびに地震でいわれるところの縦揺れ（過剰な衝撃波）と横揺れ（過剰なねじれ波）を繰り返し伝え、変形、疲労骨折、老化等の過労性の損傷を発生させる。特に横揺れは上部に伝わる時、ねじれ波のエネルギーに変化することをしらなければならない。
（３）運動機能の低下・・・・根の小さい大木の原理（体が硬くなり運動能力が衰える）
足の異常に伴う足裏の不安定は、身体を支える足裏の範囲が狭くなる２点歩行となるため、身体に余分な力が入り身体が硬くなると共に運動能力が衰えてしまう。足の異常は歩行運動の衰えと共に身体が硬くなり運動能力が低下する。
以上、３つの足の機能的役割の中でも現代人の足は免震機能の低下が著しく、慢性痛や神経不調を発生させる最大原因になっている。特に、「過剰な衝撃波とねじれ波」は時間経過と共に過労性を増していくものである。
【００１２】
さらに、図４〜図６に示すように足裏のバランスが崩れていると、外反母趾や足指が上がった状態になるため、足指が浮き地面に接地しない。そのために歩行時は、足先が外方向に流れ、足先に過剰なねじれが発生する。これを防止しながら、腓骨１６の小頭部である作用点Ａを押圧するように膝部を弾性部材である第３バンド２２で包囲して各骨を正常な位置に矯正し、さらに腓骨１６の逃げから生じる大腿骨２１の逃げを防止すると同時に、大腿骨頭部である作用点Ｂを押圧するように、股関節の一部である大腿骨上部を弾性部材の第４バンド２３で包囲して正常な位置に矯正し、足全体でバランスのよい状態にすることで、外反母趾、内反小指、下腿部のＯ脚、股関節のＯ脚を矯正することができる。
【産業上の利用可能性】
【００１３】
パンティストッキング、タイツだけでなく、ズボン等にも利用できる。
【図面の簡単な説明】
【００１４】
【図１】本発明の一実施例を示すパンティストッキング及びタイツで、足に装着した時の要部を示す斜視図である。
【図２】外反母趾・内反小指を患った、くずれた足のバランス状態を示す説明図である。
【図３】本発明の原理説明図である。
【図４】Ｏ脚のメカニズムを説明する説明正面図である。
【図５】Ｏ脚改善のメカニズムを説明する説明正面図である。
【図６】Ｏ脚改善機能を有する本発明の矯正用パンティストッキング及びタイツを着用した状態を示す正面図である。
【符号の説明】
【００１５】
１・・・・３本指パンティストッキング        ２・・・・両端袋部
３・・・・両端袋部                          ４・・・・親指
５・・・・袋部                              ６・・・・小指
７・・・・袋部                              ８・・・・中間袋部
９・・・・第２指                          １０・・・・第３指
１１・・・・第４指                          １２・・・・中足関節部
１３・・・・第５中足骨基底部                １４・・・・第１バンド
１５・・・・第２バンド                      １６・・・・腓骨
１７・・・・リスフラン関節部                １８・・・・親指の付け根
１９・・・・支点                            ２０・・・・作用点
２１・・・・大腿骨                          ２２・・・・第３バンド
２３・・・・第４バンド
【図１】
2006132037.tif 000003
【図２】
2006132037.tif 000004
【図３】
2006132037.tif 000005
【図４】
2006132037.tif 000006
【図５】
2006132037.tif 000007
【図６】
2006132037.tif 000008